(57)【特許請求の範囲】
【請求項１】
ハウジング（２）と接触ユニット（１２,１２',１２''）とを有する無線電話機（１，１'，１''）を保持するための装置であって、
前記無線電話機（１，１'，１''）を保持するためのホルダ（２０）と、
前記無線電話機（１，１'，１''）の前記接触ユニット（１２,１２',１２''）と接続するための嵌め合い接触ユニット（２９，２９'）とを備え、
該嵌め合い接触ユニット（２９，２９'）は、予め定める角度回転可能であると共に、ホルダ（２０）内を長手方向に変位可能であり、それにより、該ホルダ（２０）は、ハウジングを収容するための作動位置において、前記無線電話機のハウジングの少なくとも一部を収容すると共に固定可能であり、
前記嵌め合い接触ユニット（２９，２９'）は、基体（３１，３１'）と、該基体（３１，３１'）の回転軸に対して直角に基体上に配置された前記無線電話機（１，１'，１''）と接続するための接触手段（３０，３０'）とを備えた、装置。
【請求項２】
異なるハウジング幅（Ｃ'、Ｃ''）及び／又は異なるハウジング厚さ（Ｄ１、Ｄ１'、Ｄ１''）の無線電話機（１、１'、１''）のために、前記嵌め合い接触ユニット（２９、２９'）が、接触手段（３０、３０'）領域にスペースを有することを特徴とする、請求項１に記載の装置。
【請求項３】
前記無線電話機（１、１'、１''）が嵌め合い接触ユニット（２９、２９'）に差し込み／解放される収容／解放位置（４７）において、前記嵌め合い接触ユニット（２９、２９'）が、接触手段（３０、３０'）を介して、前記ホルダ（２０）の主平面（Ｅ）に対して、４５°〜１３５°回転した状態に置かれている、請求項１又は２に記載の装置。
【請求項４】
前記無線電話機（１、１'、１''）が、前記ホルダ（２０）内での回転運動、それに続く回転／摺動運動、及び最後の後方摺動運動を介して、前記収容／解放位置（４７）から前記作動位置に移動可能であることを特徴とする、請求項３に記載の装置。
【請求項５】
前記嵌め合い接触ユニット（２９、２９'）の回転運動及び摺動運動と反対に作用するバネ（４０）によって、前記嵌め合い接触ユニット（２９、２９'）が、前記収容／解放位置（４７）に保たれることを特徴とする、請求項１ないし４のいずれか１項に記載の装置。
【請求項６】
前記嵌め合い接触ユニット（２９、２９'）の運動が、ブレーキ（４８）によって、少なくともある一定の領域において制動されることを特徴とする、請求項１ないし５のいずれか１項に記載の装置。
【請求項７】
前記作動位置において、制限要素（３４）が、前記接触ユニット（１２、１２'、１２''）の反対側に位置する前記無線電話機（１、１'、１''）のハウジング端（８）上を覆うようにして係合することを特徴とする、請求項１ないし６のいずれか１項に記載の装置。
【請求項８】
前記作動位置において、前記無線電話機（１、１'、１''）の裏面（４）に、少なくとも一つの高さ補償要素（３６）が作用することを特徴とする、請求項１ないし７のいずれか１項に記載の装置。
【請求項９】
前記作動位置において、エジェクタ（３８）が、前記無線電話機（１、１'、１''）によって、プレストレスが与えられた位置に保たれることを特徴とする、請求項１ないし８のいずれか１項に記載の装置。
【請求項１０】
前記嵌め合い接触ユニット（２９、２９'）の前記接触手段（３０、３０'）が、浮動状態で、少なくとも前記嵌め合い接触ユニット（２９、２９'）の平坦部（５）に対して平行に位置する平面に据え付けられたことを特徴とする、請求項１ないし９のいずれか１項に記載の装置。
【請求項１１】
前記制限要素（３４）の解除に伴って、前記バネ要素（４０）が、前記無線電話機（１、１'、１''）を、前記作動位置から前記収容／解放位置（４７）へと変位させることを特徴とする、請求項１ないし１０のいずれか１項に記載の装置。
【発明の詳細な説明】
【０００１】
本発明は、特許請求項１の前文に記載の装置に関する。
このような装置は、無線電話機を確実に保持し、例えば、ハンドフリー通話装置、ディスプレイ、乗り物用アンテナ等の、乗り物に取り付けられたコンポーネントに対し無線電話機を電気的に接続するために用いられる。
こういった収容装置は、例えば、ＤＥ  １９７  ５５  ６２１  Ａ１から周知となっている。この保持装置において、携帯電話機は、ヒンジを介してスライド部上に連接された、プレート上のプラグコンタクトに差し込まれる。この携帯電話機をコンパートメント内に収容するために、携帯電話機をスライド部上に回転させ、この位置で壁要素によって固定し、そして、スライド部の長手方向に沿って、コンパートメント内に移動させる。携帯電話機を取り外すためには、プレートを携帯電話機と共に回転させ、携帯電話機をプラグコンタクトから引き抜く。
【０００２】
先行技術に関する不利点は、携帯電話機が差し込まれる時及び／又は引き抜かれる時、保持装置のプラグコンタクトが、限られた反力を及ぼすことしかできないということである。これは、力が、プレート、ヒンジ、及びスライド部を介して、コンパートメントに対してのみ分散されることが可能であるためである。更に、従来の保持装置は、フォースフィッティング式で携帯電話機を保持するものであり、所定のサイズの携帯電話機に合わせて調整されているため、その保持装置によって、異なるサイズの携帯電話機を確実に保持することは不可能である。
【０００３】
本発明の目的は、広く異なる寸法を有する無線電話機の挿入を許容し、無線電話機を適位置に配置したり、取り外したりする時にも、屈することなく、且つ適位置に配置したり取り外したりするために、ユーザにとって人間工学的に最適の位置に無線電話機を移動させる装置を提供することである。
【０００４】
この目的は、本発明に従って、特許請求項１の前文と共に、特許請求項１に記載の特徴によって達成される。
本発明による装置は、無線電話機のハウジングの縦寸法に適合可能なホルダを備える。この適合は、無線電話機が接続される嵌め合い接触ユニットの長手方向変位によって実現される。あるいは、又は、それに加えて、長さの適合は、嵌め合い接触ユニットとは関係なく、ホルダに据え付けられた長手方向スライド部によって成し遂げられる。これらの適合の実現性により、構成部品の交換又は構成部品の追加によって、ホルダを何らかの形で変形させる必要なしに、異なる長さ寸法を有する無線電話機を収容することを可能にする、無線電話機用ホルダが実現される。自動車内でのホルダの使用に関する限り、これは、与えられたホルダが、ある一定の接触ユニットを備えた無線電話機を所有している人であれば、いかなるユーザによっても使用されることが可能であることを意味する。ここでは、種々の無線電話機が、同一の寸法、特に、縦寸法を有しているか否かは重要でない。
【０００５】
異なるハウジング幅及び／又はハウジング厚さを有する無線電話機の挿入は、接触手段領域における嵌め合い接触ユニットが、従来の無線電話機の寸法の範囲外に位置する領域においてのみ高さを有することによって、確実に行うことができる。これは、ハウジング寸法によって全く左右されない収容台又は収容領域を有するホルダを形成する。このため、必要とされるのは、挿入されるべき無線電話機が、適切な接触ユニットを備えていることだけである。従って、その後に購入された厚みのある蓄電池を用いることによって、無線電話機が、その裏面により厚みを増してしまっても、ホルダを適合させる必要はない。
【０００６】
人間工学に基づく無線電話機の収容位置／解放位置は、この位置において、嵌め合い接触ユニットが、ホルダの主平面に対して４５°〜１３５°の角度で回転させられた状態となるようにして達成される。このため、ユーザが、手の位置は同じままで、前腕を低くするだけの容易な位置決め運動によって、無線電話機をホルダと連結させることが可能となる。
【０００７】
又、無線電話機を収容位置／解放位置から作動位置へと動かすことは、流れるような手の動きによって成し遂げられる。この場合、無線電話機は、ホルダの方向に傾けられ、傾斜／摺動運動によってホルダ内に動かされる。最後に必要とされる後方摺動運動は、それによって無線電話機を、その頭部端を介して制限要素の下に移動させるものであるが、ユーザによって実行される必要はない。この運動は、回転及び摺動運動によってプレストレスを与えられたバネにより成し遂げられる。
【０００８】
無線電話機を差し込む際に、嵌め合い接触ユニット及び／又は接触手段に付与された力は、最適な形でホルダ内に導入される。これは、特に、コネクタとして構成された接触手段が、嵌め合い接触ユニットの回転軸に対して垂直に配列されているためである。
【０００９】
このため、接触手段にかかる圧力によって回転軸のまわりにトルクは生成されず、圧縮力は、いかなる屈曲運動も可能にすることなく、ホルダによって吸収される。
少なくとも一つのバネ要素の補助により、嵌め合い接触ユニットは、常に、収容／解放位置の方向に引っ張られた状態であり、この結果、接触手段は、常に同じ位置に置かれている。このため、ユーザは、日常的な手の動きによって、無線電話機を接続させることができる。
【００１０】
少なくともある一定の領域において作用するブレーキ要素によって、無線電話機が、制動された状態で、慎重に、作動位置から収容／解放位置へと移動することが確実になされる。このブレーキ要素は、嵌め合い接触ユニットの摺動運動及び／又は回転運動を制動する。
【００１１】
無線電話機は、ホルダの頭部領域において、作動位置に留められる。無線電話機の頭部領域をしっかり捕らえる制限要素によって、無線電話機が、嵌め合い接触ユニット及び／又は長手方向スライド部によって、作動位置から押し出されることが防がれる。同じくホルダの収容領域に配設されるのは、無線電話機の裏面を押圧する高さ補償要素である。この高さ補償要素及び制限要素の相互作用によって、無線電話機は、ハウジングの厚さに関係なく、遊びが無い状態で、ホルダの頭部領域に収容される。
【００１２】
更に、無線電話機を作動位置に移動させると、無線電話機の裏面及び／又は頭部側に作用するエジェクタにプレストレスが与えられる。制限要素から解放されると、このエジェクタによって、無線電話機は、その頭部領域を介して、ホルダの収容領域から持ち上げられる。このため、長手方向スライド部及び／又はコンタクトメーキングユニットに作用するバネの力によって、無線電話機がマウント内に閉じ込められることが、効果的な方法で防がれる。
【００１３】
最後に、接触手段が、浮動状態で、例えば、コンタクトメーキング方向に対して垂直に位置する平面に据え付けられるようにすると効果的である。このやり方によって、接触ユニットがわずかに斜めになった状態で無線電話機が配置されても、嵌め合い接触ユニットがダメージを受けないことを保証することができる。
【００１４】
本発明の更なる詳細は、概略的に図示された模範的実施例を参照に、図面において示されている。
図１は、ハウジング２を備えた無線電話機１を示す。無線電話機１のハウジング２は、正面３と、裏面４と、側面５，６と、脚部側７と、頭部側８とを有する。無線電話機１は、又、脚部領域９と、中央領域１０と、頭部領域１１とを有する。脚部領域９は、接触ユニット１２によってその末端が形成されている。頭部領域１１には、アンテナ１３とディスプレイ１４とが配設されている。脚部領域９及び中央領域１０は、正面３にキーパッド１５を有する。無線電話機１は、脚部領域９で厚さＤ１を有し、頭部領域１１で厚さＤ２を有すると共に、縦寸法Ｌを有する。
【００１５】
図２は、ホルダ２０を示す。これは、カバー２２の下をコンパートメント２３に向かって延在するマウント２１を有する。マウント２１は、無線電話機の外形に本質的に対応した（部分的に破線で図示された）輪郭２４を有する。領域２５は、無線電話機のアンテナ用に設けられている。ホルダ２０は、大まかに言うと、頭部領域２６と、中央領域２７と、脚部領域２８とに細分される。中央領域２７には、嵌め合い接触ユニット２９が配設されており、この中央領域２７において、マウント２１は、コンパートメント２３に吸収される。嵌め合い接触ユニットは、本質的に、接触手段３０と、ローラ状基体３１とから構成されている。この嵌め合い接触ユニット２９は、回転軸３２を中心に回転可能に据え付けられている。更に、嵌め合い接触ユニット２９は、ガイド３３（図４参照）に沿って、矢印方向ｘに、コンパートメント２３に向かって変位可能とされている。ホルダ２０の頭部領域２６には、セクション３５を介して、マウント２１を覆う制限要素３４が配設されている（同じく図４参照）。頭部領域２６から中央領域２７へと移行する部分には、高さ補償要素３６が、マウント２１に配設されている。
【００１６】
図３は、図２に示されたホルダ２０を、切断線ＩＩＩ−ＩＩＩに沿って切断した時の断面を示す。制限要素３４の下には、（図４に示された）エジェクタ３８のガイド３７が示されている。
図４は、図２に示されたホルダ２０を、切断線ＩＶ−ＩＶに沿って切断した時の長手方向断面を示す。マウント２１の下には、溝３９が配設されており、その溝３９内には、バネ４０が設けられ、このバネ４０は、ある一定の部分が象徴的に図示されている。ホルダ２０の中央領域２７では、溝３９が、マウント２１に通じて開放している。バネ４０は、可撓性要素４１を介して、嵌め合い接触ユニット２９の基体３１に接続されている。嵌め合い接触ユニット２９は、矢印方向ａに作用するバネ４０の復元力によって、矢印方向ｂに回転する。嵌め合い接触ユニット２９のこの回転は、基体３１上に一体的に形成され、マウント２１の境界を規定する壁部４３と衝突するカム４２によって制限される。このため、ホルダ２０の主平面Ｅに対して、接触手段３０及び／又は嵌め合い接触ユニット２９が回転することのできる角度αは、約７５°に固定される。嵌め合い接触ユニット２９は、ピン４４上の回転軸３２を中心に、回転可能とされている。このピン４４は、ガイド３３に沿って、矢印方向ｘに、第１位置４５から第２位置４６まで変位可能である。
【００１７】
図４では、嵌め合い接触ユニット２９は、無線電話機１の収容及び／又は解放位置４７に位置している。この収容位置４７において、無線電話機１は、矢印方向ｃに沿って、嵌め合い接触ユニット２９に差し込まれる。この場合、無線電話機１は、接触ユニット１２を介して接触手段３０に押し付けられるように案内される。この押付操作の間、無線電話機１は、力Ｆをもって嵌め合い接触ユニット２９に作用する。導入されたこの力Ｆは、嵌め合い接触ユニット２９から、ピン４４を介して、ホルダ２０へと伝達される。そして、今度はホルダ２０が、ブラケット（図示なし）上で支持される。この力Ｆは、回転軸３２に対して垂直に作用するため、嵌め合い接触ユニット２９を回転軸３２を中心として回転させるトルクは生成されない。嵌め合い接触ユニット２９の回転運動を第一に生じさせるようにブレーキ４８が設計されているため、嵌め合い接触ユニット２９のガイド３３に沿った摺動は防がれる。このブレーキ４８は、歯車４９を有し、この歯車４９は、ピン５０を中心に回転可能となっている。歯車４９の回転性は、わずかに困難に設定されている。嵌め合い接触ユニット２９のカム４２上には、歯状構成（図示なし）が設けられており、嵌め合い接触ユニット２９が回転する間、この歯状構成に沿って、歯車４９が回転して行くように構成されている。
【００１８】
無線電話機１が嵌め合い接触ユニット２９に差し込まれる収容位置４７から、嵌め合い接触ユニット２９は、無線電話機１と共に、矢印方向ｄに回転させられる。この回転運動に続いて、遅くとも、無線電話機１が、その裏面４で制限要素３４のセクション３５とぶつかった時、回転／摺動運動が起こる。この回転と摺動の組合せ運動は、早ければ、回転運動によって、無線電話機１の正面３とカバー２２の端部５１との間に、矢印方向ｘにおける無線電話機１の変位を許容する間隔が生じた時に開始されることも可能である。矢印ｘの方向における摺動運動が必要とされる程度は、無線電話機１の縦寸法Ｌによる。図４に示されたホルダ２０は、少なくとも基体３１とマウント２１の壁部５２との間の間隔ｈに相当する一つの長さ寸法Ｌを有する無線電話機１を収容するのに適している。嵌め合い接触ユニット２９が、ガイド３３に沿って、矢印方向ｘに変位することによって、間隔ｈと間隔ｉの合計よりも幾分小さい長さ寸法Ｌを有する無線電話機１を収容することが可能である。この場合、ｉは、矢印方向ｘにおける嵌め合い接触ユニット２９の最大変位経路の長さである。無線電話機１及び嵌め合い接触ユニット２９の回転／摺動運動は、無線電話機１が主平面Ｅに対して略平行となって停止するまで続く。これに続いて、無線電話機１及び嵌め合い接触ユニット２９の、矢印方向ａにおける後方摺動運動が行われる。この後方摺動運動は、回転／摺動作用によって応力を加えられていたバネ４０によって成し遂げられる。この後方摺動運動によって、無線電話機１は、その頭部領域１１が、制限要素３４の裏側でしっかりとらえられると共に、作動位置に到達した状態となる。この作動位置において、無線電話機１は、マウント２１によって最大限に収容されると共に、制限要素３４と高さ補償要素３６との間で、遊びが無い状態で保持される。高さ補償要素３６は、バネ５３を収容した弾性キャップ５２を備える。この高さ補償要素３６は、無線電話機１の異なる厚さＤ２を補うためのものである。更に、後方摺動運動によって、エジェクタ３８が接続されたリーフスプリング５４にプレストレスが与えられる。
【００１９】
上述の作動位置から解放位置４７への無線電話機１の移動は、バネ機構５５によって矢印方向ｘにプレストレスを与えられた制限要素３４が、後方に摺動されることによって開始可能とされている。エジェクタ３８及びプレストレスバネ４０は、無線電話機１及び嵌め合い接触ユニット２９の矢印方向ｂへの回転をもたらす。嵌め合い接触ユニット２９が、位置４５に位置していない限り、無線電話機１の頭部領域１１が、制限要素３４上に位置付けられると直ちに、この回転は、矢印方向ａにおける摺動運動と重なり合う。無線電話機１及び嵌め合い接触ユニット２９の最終回転運動の間、ブレーキ４８が作用して、解放位置４７へのスムーズな到達が許容される。この解放位置４７では、無線電話機１を嵌め合い接触ユニット２９から取り外したり、あるいは無線電話機１を再び作動位置に移動させたりすることが可能である。
【００２０】
図５は、代用の嵌め合い接触ユニット２９’の側面図である。無線電話機１’、１’’の接触ユニット１２’、１２’’が、嵌め合い接触ユニット２９’上に概略的に示されている。この嵌め合い接触ユニット２９’は、回転軸３２’を中心として回転可能な基体３１’を有する。この基体３１’は、接触手段３０’が上に配設された平坦部５６を有する。接触手段３０’は、部分的に基体３１’内に延在するリボンケーブル５７を介して、例えば、マイクロフォン、拡声器、アンテナといったコンポーネント（図示なし）に接続される。図示されていない変形例では、又、同軸ケーブルを介して接続が行われる。平坦部５６は、異なる幅Ｃ’、Ｃ’’を有する無線電話機１’、１’’を接触手段３０’上に位置付けることができるように、幅Ｃを有する。この時、無線電話機１’、１’’の接触ユニット１２’、１２’’は、嵌め合い接触ユニット２９’の接触手段３０’によってしっかりとらえられると同時に、接触手段３０’を収容した状態となる。
【００２１】
図６は、図５に示された切断線ＶＩ−ＶＩに沿って、嵌め合い接触ユニット２９’を切断した時の断面を示す。この断面は、嵌め合い接触ユニット２９’が、カム４２’を有することを明らかに示しており、このカム４２’は、嵌め合い接触ユニット２９’の回転を制限する役割を果たす（図４に関する記載参照）。嵌め合い接触ユニット２９’の平坦部５６は、厚さＤを有し、この厚さＤによって、異なる厚さＤ１’，Ｄ１’’の脚部領域９’、９’’を有する無線電話機１’、１’’との接触が可能とされている。
【００２２】
本発明は、図面に示された、又はここに記載された実施例に限定されるものではなく、請求項の範囲内での発明の発展形を含む。又、本発明は、特に、無線電話機の接触ユニットと嵌め合い接触ユニットとの間の、単に機械的な接続に対する備えも含んでいる。ここでは、特に、フォームフィッティング及び／又はフォースフィッティング接続に対して備えがなされている。フォースフィッティング接続は、例えば、磁石によって実現されても良い。
【図面の簡単な説明】
【図１】  無線電話機の側面図である。
【図２】  ホルダの平面図である。
【図３】  図２に示された切断線ＩＩＩ−ＩＩＩに沿って切断した時の、ホルダの断面図である。
【図４】  図２に示された切断線ＩＶ−ＩＶに沿って切断した時の、ホルダの長手方向断面図である。
【図５】  二つの異なる無線電話機の二つの接触ユニットと共に、別の嵌め合い接触ユニットの側面図を示したものである。
【図６】  図５に示された別の嵌め合い接触ユニットを切断線ＶＩ−ＶＩに沿って切断した時の断面、及び二つの異なる無線電話機の二つの接触ユニットを示したものである。
符号リスト
１、１’、１’’        無線電話機
２                      ハウジング
３                      正面
４                      裏面
５、６                        側面
７                      脚部側
８                      頭部側
９、９’、９’’        脚部領域
１０                    中央領域
１１                    頭部領域
１２、１２’、１２’’  接触ユニット
１３                    アンテナ
１４                    ディスプレイ
１５                    キーパッド
２０                    ホルダ
２１                    マウント
２２                    カバー
２３                    コンパートメント
２４                    輪郭
２５                    領域
２６                    頭部領域
２７                    中央領域
２８                    脚部領域
２９、２９’                  嵌め合い接触ユニット
３０、３０’                  接触手段
３１、３１’                  基体
３２、３２’                  回転軸
３３                    ガイド
３４                    制限要素
３５                    セクション
３６                    高さ補償要素
３７                    ガイド
３８                    エジェクタ
３９                    溝
４０                    バネ
４１                    要素
４２，４２’                  カム
４３                    壁部
４４                    ピン
４５                    位置
４６                    位置
４７                    収容／解放位置
４８                    ブレーキ
４９                    歯車
５０                    ピン
５１                    端部
５２                    キャップ
５３                    バネ
５４                    リーフスプリング
５５                    バネ機構
５６                    平坦部
５７                    リボンケーブル
【図１】
0004555533.tif 000002
【図２】
0004555533.tif 000003
【図３】
0004555533.tif 000004
【図４】
0004555533.tif 000005
【図５】
0004555533.tif 000006
【図６】
0004555533.tif 000007